(57)【要約】  座席などでの座位から立位へ、およびその逆に人が移動するのを補助する装置。装置は、基部と、基部によって支持されるアクチュエータ機構と、被補助者を支持する人支持部とを備える。アクチュエータ機構は、垂直位置範囲にわたって人支持部を上昇および降下させることができ、水平位置範囲にわたって人支持部を前進および後退させることができる。アクチュエータ機構は、人支持部の水平位置に関係なく垂直位置範囲で人支持部を移動させる。アクチュエータ機構は、人支持部の垂直位置に関係なく水平位置範囲で人支持部を移動させる。アクチュエータ機構は、基部によって２つの端部のうちの第１の端部で支持され、基部から略垂直に延在する細長形状の第１の線形アクチュエータと、第１の線形アクチュエータの２つの端部のうちの第２の端部によって支持され、略水平方向に延在する細長形状の第２の線形アクチュエータとを備える。人支持部は、第２の線形アクチュエータの自由端によって支持される。【選択図】図１
2016519599.tif 000002
【特許請求の範囲】
【請求項１】
人を移動させる、または各種運動に関して人を補助若しくは訓練する装置であって、
基部と、
移動される、補助される、または訓練される人を支持するよう構成された人支持部と、
前記基部によって支持されるアクチュエータ機構であって、
垂直位置範囲にわたって前記人支持部を上昇および降下させることができ、水平位置範囲にわたって前記人支持部を前進および後退させることができ、
前記人支持部の水平位置とは関係なく前記垂直位置範囲で前記人支持部を移動させることができ、
前記人支持部の垂直位置に関係なく前記水平位置範囲で前記人支持部を移動させることができる、アクチュエータ機構と、
前記アクチュエータ機構の運動を制御するプロセッサと、
を備え、
前記アクチュエータ機構が、前記基部によって２つの端部のうちの第１の端部で支持され、前記基部から略垂直に延在する細長形状の第１の線形アクチュエータと、前記第１の線形アクチュエータの２つの端部のうちの第２の端部によって支持され、略水平方向に延在する細長形状の第２の線形アクチュエータとを備え、
前記人支持部が、前記第２の線形アクチュエータの自由端によって支持される、
装置。
【請求項２】
ユーザインタフェースが前記プロセッサに接続され、前記ユーザインタフェースが前記人支持部の垂直位置に関係なく前記人支持部の水平位置を手動で調節する入力手段と、前記人支持部の水平位置に関係なく前記アクチュエータ機構の垂直位置を手動で調節する入力手段とを備える、
請求項１に記載の装置。
【請求項３】
前記ユーザインタフェースが、前記装置のオペレータに情報を表示するディスプレイ画面をさらに備える、
請求項２に記載の装置。
【請求項４】
前記ユーザインタフェースが、被支持者に情報を表示するディスプレイ画面をさらに備える、
請求項２または３に記載の装置。
【請求項５】
前記ユーザインタフェースがタッチスクリーンをさらに備える、
請求項２から４のいずれか１項に記載の装置。
【請求項６】
前記ユーザインタフェースが、キー、ボタン、またはスライダを含む、前記人支持部の水平位置を調節する専用入力手段を備える、
請求項２から５のいずれか１項に記載の装置。
【請求項７】
前記人支持部が被支持者の胴と可能であれば脇の下も支持する胴支持部であり、人の胸が前記胴支持部に面しており、前記胴支持部が被補助者の胸に係合する主係合面を有する、
請求項１から６のいずれか１項に記載の装置。
【請求項８】
前記胴支持部は、前記第２の線形アクチュエータの長手軸に略垂直な略水平軸周りに前記胴支持部を回転させるよう構成された回転アクチュエータによって前記第２のアクチュエータの自由端に動作可能に接続される、
請求項７による装置。
【請求項９】
前記第１の線形アクチュエータおよび／または前記第２の線形アクチュエータは、伸縮自在の柱を備える、
請求項１から８のいずれか１項に記載の装置。
【請求項１０】
前記伸縮自在の柱がスピンドル駆動装置を備える、
請求項９に記載の装置。
【請求項１１】
前記伸縮自在の柱が直列に配置される２つのスピンドル駆動装置を備える、
請求項９に記載の装置。
【請求項１２】
前記伸縮自在の柱が近位部、中間部、遠位部を備え、前記近位部が前記直列に配置される２つのスピンドル駆動装置の端部に接続され、前記中間部が、前記一方のスピンドル駆動装置が前記他方のスピンドル駆動装置に接続される場所に接続される、
請求項９に記載の装置。
【請求項１３】
前記人支持部を回転させる回転アクチュエータをさらに備える、
請求項１から１２のいずれか１項に記載の装置。
【請求項１４】
前記回転アクチュエータは、前記胴支持部の前記主係合面と略平行である水平軸周りに前記胴支持部を回転させるよう構成されている、
請求項１３に記載の装置。
【請求項１５】
前記線形アクチュエータが、前記伸縮自在の柱の長さを調節するよう構成されたスピンドル駆動装置を備える、
請求項１から１４のいずれか１項に記載の装置。
【請求項１６】
前記線形アクチュエータが、前記伸縮自在の柱の長さを調節するために直列に配置される２つのスピンドル駆動装置を備える、
請求項１または１４に記載の装置。
【請求項１７】
前記伸縮自在の柱は略垂直に配置され、端部の一方が前記基部によって支持される、
請求項１から１６のいずれか１項に記載の装置。
【請求項１８】
前記伸縮自在の柱が前記基部によって旋回可能に支持され、前記装置が、前記基部に対する前記伸縮自在な柱の角度位置を調節して前記胴支持部を略水平方向に移動させるアクチュエータを備える、
請求項１から１７のいずれか１項に記載の装置。
【請求項１９】
前記伸縮自在の柱が、複数の同心で且つ入れ子状に配置された柱部を備える、
請求項１から１８のいずれか１項に記載の装置。
【請求項２０】
前記伸縮自在の柱が水平軸周りで前記胴支持部を回転させる別のアクチュエータを備える、
請求項１から１９のいずれか１項に記載の装置。
【請求項２１】
前記アクチュエータ機構が、いくつかの入れ子状に配置された部位を有する伸縮自在の柱と少なくとも２つのスピンドル駆動装置とを備える線形アクチュエータを備え、前記スピンドル駆動装置が直列に配置される、
請求項１から２０のいずれか１項に記載の装置。
【請求項２２】
前記スピンドルのそれぞれがスピンドルとナットとを備え、前記スピンドルが固定され前記ナットが回転可能であるか、または前記スピンドルが回転可能であり前記ナットが固定され、それによって前記一方のスピンドル駆動装置の前記回転可能部品が前記他方のスピンドル駆動装置の回転可能部分を駆動する、
請求項２１に記載の装置。
【請求項２３】
前記一方の回転可能部分が噛合い歯車を介して前記他方の回転可能部分を駆動する、
請求項２２に記載の装置。
【請求項２４】
前記一方の部品が、直接または減速歯車を介して、可逆電気駆動モータによって駆動される、
請求項２２に記載の装置。
【請求項２５】
前記スピンドル駆動装置の一方の前記ナットは、トレッドが略軸長にわたって延在した管状部品であり、前記スピンドルが、前記ナットのねじ軸長よりもずっと短いねじ軸長を有する、
請求項２２から２４のいずれか１項に記載の装置。
【請求項２６】
前記一方のアクチュエータの前記スピンドルの長手軸が、前記他方のアクチュエータの前記スピンドルの長手軸に対して平行に延在し、かつ、所定距離にわたって変位する、
請求項２１から２５のいずれかに１項に記載の装置。
【請求項２７】
前記スピンドルアクチュエータが、少なくとも３つの入れ子状に配置された柱部を備えた伸縮自在の柱内に収容される、
請求項２１から２６のいずれか１項に記載の装置。
【請求項２８】
前記伸縮自在な柱が、近位部、中間部および遠位部を備え、前記近位部が前記直列に配置される２つのスピンドル駆動装置の端部に接続され、前記中間部が、前記一方のスピンドル駆動装置が前記他方のスピンドル駆動装置に接続される場所に接続される、
請求項２７に記載の装置。
【請求項２９】
前記伸縮部が、前記伸縮自在な柱の一方の長手方向端に近位部、前記伸縮自在な柱の中間に中間部、および前記伸縮自在な柱の他方の長手方向端に遠位部を備え、前記近位部が前記一方のスピンドル駆動装置の一端に接続され、前記中間部が前記一方のスピンドル駆動装置の他端と前記他方のスピンドル駆動装置の前記一端とに固定され、前記遠位部が前記他方のスピンドル駆動装置の他端に接続される、
請求項２７に記載の装置。
【請求項３０】
前記アクチュエータ機構と前記患者支持アタッチメントが、前記自由可動端に脱着可能に装着される前記患者支持アタッチメントを有するよう構成されている、
請求項１から２９のいずれか１項に記載の装置。
【請求項３１】
アクチュエータ機構の前記自由端への脱着可能な装着にそれぞれ適した少なくとも２つの異なる患者支持アタッチメントを備える、
請求項３０に記載の装置。
【請求項３２】
前記アタッチメントの一方が被支持者の胴と可能であれば脇の下も支持する胴支持部であり、人の胸が前記胴支持部に面する、
請求項３１または３２に記載の装置。
【請求項３３】
前記装置が、前記プロセッサに接続され、被補助者を識別するよう構成された個人識別システムを備える、
請求項１から３２のいずれか１項に記載の装置。
【請求項３４】
前記個人識別システムが、前記プロセッサに接続されるリーダと前記被補助者に関連する識別装置とを備え、前記識別装置が前記リーダによって読取可能である、
請求項３３に記載の装置。
【請求項３５】
前記プロセッサに接続されるチップカードリーダと被補助者に関連するチップカード、ＲＦＩＤリーダと前記被補助者に関連するＲＦＩＤタグ、前記プロセッサに接続されるキーボードと前記被補助者に関連するコード、または前記プロセッサに接続される近距離無線アダプタと前記被補助者に関連する装置に接続される近距離無線アダプタを備える、
請求項３３または３４に記載の装置。
【請求項３６】
被補助者に関連する前記識別装置が、前記装置で被補助者を補助する際に前記装置を動作させる方法を前記プロセッサに伝える、前記被補助者の固有のデータを保持する、
請求項３３、３４、または３５に記載の装置。
【請求項３７】
前記プロセッサが、識別された被補助者に関連する情報に基づき前記アクチュエータ機構を動作させるよう構成されている、
請求項３３から３６のいずれか１項に記載の装置。
【請求項３８】
前記プロセッサが、前記識別された人に固有の経路に沿って、かつ、前記識別された人に固有の速度プロフィールで、前記識別された人の座位に対応する開始位置から前記識別された人の立位に対応する終了位置まで前記胴支持部を移動させるよう構成されている、
請求項３３から３７のいずれか１項に記載の装置。
【請求項３９】
前記装置は、前記プロセッサに接続されるユーザインタフェースを備え、前記ユーザインタフェースが前記装置のオペレータによって使用されよう構成され、前記個人識別システムが前記ユーザインタフェースを介して被補助者を識別するよう構成されている、
請求項３３から３８のいずれか１項に記載の装置。
【請求項４０】
被補助者に関連し、前記プロセッサにアクセス可能なメモリに記憶される個人固有運動プロフィールを備え、前記プロセッサが前記個人固有運動プロフィールに応じて前記アクチュエータ機構を移動させるよう構成されている、
請求項１から３９のいずれか１項に記載の装置。
【請求項４１】
前記個人固有運動プロフィールが、移動動作中にたどる経路と使用される速度プロフィールとに関する情報を含む、
請求項４０に記載の装置。
【請求項４２】
デフォルト運動プロフィールの複数の範囲が、前記プロセッサに接続されるメモリに記憶される、
請求項４０または４１に記載の装置。
【請求項４３】
前記プロセッサが、被補助者が前記装置を初めて使用するための初期プロフィールを作成するよう構成され、前記初期プロフィールが人体測定データおよび／または障害等級などの前記被補助者の特徴および／または特色に基づき前記プロセッサによって作成される、
請求項４０から４２のいずれか１項に記載の装置。
【請求項４４】
前記プロセッサが、前記複数のデフォルトプロフィールから前記初期プロフィールを選択するよう構成されている、
請求項４３に記載の装置。
【請求項４５】
前記プロセッサが、被補助者に固有の経路に沿って、かつ、前記被補助者に固有の速度プロフィールで、前記識別された人の座位に対応する開始位置から前記識別された人の立位に対応する終了位置まで前記人運動プロフィールに応じて前記胴支持部を移動させるよう構成されている、
請求項４０から４４のいずれか１項に記載の装置。
【請求項４６】
前記デフォルトプロフィールが異なる身長の複数の被験者に関する測定値から取得され、前記患者プロフィールが患者身長を含み、前記プロセッサが前記識別された人の身長に最も近い身長と関連する前記デフォルトプロフィールを選択する、
請求項４２から４５のいずれか１項に記載の装置。
【請求項４７】
前記複数のデフォルト運動プロフィールが複数のデフォルト個人タイプとして前記プロセッサに関連するメモリに記憶され、前記複数の個人タイプが人体測定データおよび障害等級などの人の特徴および／または特色の範囲にわたって分布され、該範囲を網羅する、
請求項４２から４６のいずれか１項に記載の装置。
【請求項４８】
前記プロセッサが、前記装置を初めて使用する人のために適切なデフォルト／初期プロフィールを選択するためオペレータからの入力を受領するよう構成されている、
請求項４２から４７のいずれか１項に記載の装置。
【請求項４９】
前記装置が、前記プロセッサに接続される１つ以上のセンサを備え、前記１つ以上のセンサが前記胴支持部への負荷および／または前記足底板への負荷を感知するよう構成されている、
請求項１から４８のいずれか１項に記載の装置。
【請求項５０】
膝支持部と前記膝支持部への負荷を感知するセンサとをさらに備える、
請求項４９に記載の装置。
【請求項５１】
前記プロセッサに接続されるディスプレイをさらに備え、前記プロセッサは、人がどの程度運動中の自己努力に関与するかを測定し、好ましくは、前記人がどの程度自己努力をもって関与するかの測定結果を前記ディスプレイに表示する、
請求項４９または５０に記載の装置。
【請求項５２】
メモリが前記プロセッサに接続され、前記メモリが特定の人に関連する運動プロフィールを記憶し、前記運動プロフィールが移動動作中にたどる経路と使用される速度プロフィールとに関する情報を含む、
請求項４９から５１のいずれか１項に記載の装置。
【請求項５３】
前記プロセッサが、胴支持部への負荷が一般的な閾値または患者固有閾値を超える運動部分で、個人プロフィールの運動速度を低下させるよう構成されている、
請求項４９から５２のいずれか１項に記載の装置。
【請求項５４】
前記プロセッサが前記胴支持部への負荷および／または前記足底板への負荷を監視するよう構成され、被補助者の運動における自己努力を測定するために前記負荷情報を使用するよう構成されている、
請求項４９から５３のいずれか１項に記載の装置。
【請求項５５】
前記プロセッサが、個人のジャーナルに前記自己努力を記憶する、および／または被補助者に自己努力の可視または可聴フィードバックを提供するよう構成されている、
請求項４９から５４のいずれか１項に記載の装置。
【請求項５６】
前記主係合面が胸用枕によって形成され、前記胸用枕が形状を被支持者の胸の形状に適合させる可撓状態を有するよう構成され、前記胸用枕が被支持者を支持するためにその形状を維持できるよう、前記胸用枕は、前記枕の形状が非可撓性である状態を有するよう構成されている、
請求項７から５５のいずれか１項に記載の装置。
【請求項５７】
前記装置がプロセッサを備え、前記プロセッサが前記胸用枕に動作可能に接続され、前記プロセッサが前記胸用枕の状態を制御するよう構成されている、
請求項５６に記載の装置。
【請求項５８】
前記胸用枕は、多数の小球で充填された袋を備え、前記袋が前記プロセッサによって制御される真空ポンプに接続される、
請求項５７に記載の装置。
【請求項５９】
前記プロセッサは、被支持者が前記胸用枕に係合するときに前記袋内を大気圧とし、その後、前記装置の運動中に前記袋内を大気圧未満にして維持する、
請求項５８に記載の装置。
【請求項６０】
前記胴支持部は被支持者の脇の下および／または肘を支持する肘掛けを備え、前記肘掛けの各々に脇の下係合枕が設けられ、前記脇の下枕はその形状を被支持者の脇の下の形状に適合させることができる可撓状態を有するよう構成され、前記脇の下枕が運動中に被支持者を支持するためにその形状を維持できるよう、前記脇の下枕の各々は、前記脇の下枕の形状が非可撓性である状態を有するよう構成されている、
請求項５６から５９のいずれか１項に記載の装置。
【請求項６１】
前記脇の下用枕がそれぞれ多数の小球で充填される袋を有し、前記脇の下用枕および前記胸用枕の袋が前記真空ポンプに接続される、
請求項６０に記載の装置。
【請求項６２】
前記アクチュエータが前記胴支持部の水平位置に関係なく前記垂直位置範囲において前記胴支持部を移動させるよう構成され、前記胴支持部の垂直位置に関係なく前記水平位置範囲において前記胴支持部を移動させるよう構成されている、
請求項５６から６１のいずれか１項に記載の装置。
【請求項６３】
回転アクチュエータが、略水平旋回軸周りに前記胴支持部を回転させるために前記胴支持部に動作可能に接続される、
請求項１から６２のいずれか１項に記載の装置。
【請求項６４】
前記旋回軸は前記主係合面と略平行である、
請求項６３に記載の装置。
【請求項６５】
前記回転アクチュエータを含む前記アクチュエータ機構が、プロセッサに接続され、前記プロセッサのコマンド下で動作される、
請求項６３または６４による装置。
【請求項６６】
前記胴支持部の回転角を、前記胴支持部の水平位置および前記胴支持部の垂直位置に関係なく調節することができる、
請求項６３から６５のいずれか１項に記載の装置。
【請求項６７】
前記回転アクチュエータが電気駆動モータを備える、
請求項６３から６６のいずれか１項に記載の装置。
【請求項６８】
前記アクチュエータ機構が電気駆動モータをそれぞれ備えた２つの線形アクチュエータを備え、前記装置がすべての前記電気駆動モータに動作可能に接続されるプロセッサをさらに備え、前記プロセッサが同時に前記駆動モータの起動を制御する、
請求項６３から６７のいずれか１項に記載の装置。
【請求項６９】
プロセッサと、被補助者を係合、支持、または昇降する機構と、前記プロセッサのコマンド下で個人固有運動プロフィールに従って運動を実行するよう構成されたアクチュエータ機構と、前記プロセッサに接続される個人識別モジュールとを備えた人リフトの動作方法であって、
前記個人識別モジュールで、移動される、昇降される、または補助される人を識別することと、
前記識別された被補助者の前記所望の個人固有運動プロフィールを検索することと、
前記プロセッサのコマンド下で前記検索された所望の個人固有運動プロフィールに従い前記アクチュエータ機構で運動を実行することと、
を備える方法。
【請求項７０】
被補助者を識別することが、前記被補助者に関連する識別装置から情報を読み出すことを備える、
請求項６９に記載の方法。
【請求項７１】
前記プロセッサが、内部若しくは外部メモリ、データベース、または被補助者に関連する識別装置から前記所望の個人固有運動プロフィールを検索する、
請求項６９に記載の方法。
【請求項７２】
前記方法は、前記被補助者の前記所望の個人固有運動プロフィールを検索または判定することと、前記プロセッサのコマンド下で前記検索された所望の個人固有運動プロフィールに従い前記アクチュエータ機構で運動を実行することとを備える、
請求項７１に記載の方法。
【請求項７３】
前記個人固有プロフィールが、被補助者に関連する識別装置から前記プロセッサに接続されるメモリへ転送される、
請求項７２に記載の方法。
【請求項７４】
前記プロセッサが、
スロットに挿入されるチップカードと前記プロセッサに接続される前記装置のチップカードリーダ、
前記プロセッサに接続されるユーザインタフェース、または、
ネットワーク接続を介した遠隔コンピュータまたはサーバ、
から前記個人固有プロフィールを検索する、
請求項７２または７３に記載の方法。
【請求項７５】
複数の記憶されたデフォルトプロフィールから適切なプロフィールを選択することをさらに備える、
請求項７０から７４のいずれか１項に記載の方法。
【請求項７６】
前記プロセッサが前記被補助者に関する前記データを使用して、好ましくは最適運動プロフィールの近似値を求める式を使用して、適切なプロフィールを算出することをさらに備える、
請求項７０から７５のいずれか１項に記載の方法。
【請求項７７】
前記プロセッサに接続される個人識別システムを用いて前記被補助者に関するデータを取得することをさらに備える、
請求項７０から７６のいずれか１項に記載の方法。
【請求項７８】
前記プロセッサに接続されるユーザインタフェースを介して前記人の個別データを取得することをさらに備える、
請求項７０から７７のいずれか１項に記載の方法。
【請求項７９】
前記デフォルトプロフィールが異なる身長および／または背丈の複数の被験者の測定値から取得され、前記患者プロフィールが患者身長を含み、前記プロセッサが識別された人の身長に最も近い身長に関連するデフォルトプロフィールを選択するよう構成されている、
請求項７０から７８のいずれか１項に記載の方法。
【請求項８０】
前記被験者の運動プロフィールが、座位から完全または部分立位までの肩の移動経路を測定することによって確立される、
請求項７９に記載の方法。
【請求項８１】
前記プロセッサが前記運動を実行する前に、前記個人固有プロフィールを補正する機会をオペレータに与えることをさらに備える、
請求項７０から８０のいずれか１項に記載の方法。
【請求項８２】
前記リフトが前記プロセッサに接続される１つ以上のセンサをさらに備え、前記１つ以上のセンサが前記胴支持部および／または前記足底板の負荷を感知し、前記アクチュエータ機構が前記プロセッサからのコマンド下で前記被補助者を補助する運動を実行するよう構成され、前記方法が、
前記プロセッサのコマンド下で前記リフトによって支持される前記人に対して前記アクチュエータ機構で運動を実行することと、
被補助者を係合、支持または昇降する前記機構への負荷を監視することと、
を備える、
請求項７０から８１のいずれか１項に記載の方法。
【請求項８３】
負荷情報を用いる際に被補助者の自己関与を判定することをさらに備える、
請求項８２に記載の方法。
【請求項８４】
前記人または前記装置のオペレータに、好ましくは可聴／可視フィードバックを用いて、前記自己関与を伝えることをさらに備える、
請求項８３に記載の方法。
【請求項８５】
前記自己関与を表すデータを判定する、記憶するおよび／または送信することをさらに備える、
請求項８３または８４による方法。
【発明の詳細な説明】
【技術分野】
【０００１】
本発明は、障害者、身体障害者またはハンディキャップを負った人または患者のための装置に関し、そのような人を移動させるための、または、座位から立位への起立またはその逆などの各種運動を補助若しくは訓練するための装置に関する。
【背景技術】
【０００２】
座位から立位への昇降機は、いくらかの可動性は備えるが、力や筋肉を制御できない患者がベッド、車椅子、椅子、または便器から立ち上がるのを助けるように設計される。従来のリフトは患者の背中に巻き付けられ、通常は腕の下に嵌合するストラップ、ベスト、あるいはベルトまたはスリングを使用して移動を可能にする。
【０００３】
これらの装置の大半は、特許文献１から既知であるように、足底板および膝支持部と組み合わせて、ベルト、ストラップ、またはスリングを装着した回転昇降アームに基づく。昇降アームは略水平位置から上方に旋回する。これらの装置はすべて、重心が昇降手順中ほぼ足底板／膝支持部の十分背後に位置するために、人が背中および／または腹部領域に巻かれたスリングに「吊される」という原理に基づく。被補助者の重心が足底板／膝支持部のずっと後ろにあるので、スリングによって被補助者にかかる重量は極めて大きく、被補助者の背中と肩に高負荷が生じる。
【０００４】
特許文献２は、被補助者に係合する胴支持部を使用して、胴支持部が同時に前方および上方に移動する起立運動を可能にする、人の立位の達成および維持を支援する装置および手順を開示する。
【０００５】
しかしながら、これらの従来技術の装置はいずれも、最適な快適性と安全性で個別に調整される支援を提供していない。具体的には、異なるサイズおよび障害等級への適合は、既知の装置では実質上不可能であった。
【先行技術文献】
【特許文献】
【０００６】
【特許文献１】米国特許第４，９１８，７７１号
【特許文献２】欧州特許第１７７２１３２号
【発明の概要】
【発明が解決しようとする課題】
【０００７】
上述した従来技術に関連する問題に鑑み、本開示の目的は、従来技術に関連する欠点を克服する、あるいは少なくとも低減する装置を提供することである。
【課題を解決するための手段】
【０００８】
この目的を達成するため、本発明の第１の側面によると、人を移動させる、または各種運動に関して人を補助若しくは訓練する装置であって、
基部と、
移動される、補助される、または訓練される人を支持する人支持部と、
基部によって支持されるアクチュエータ機構であって、
垂直位置範囲にわたって人支持部を上昇および降下させることができ、水平位置範囲にわたって人支持部を前進および後退させることができ、
人支持部の水平位置とは関係なく垂直位置範囲で人支持部を移動させることができ、
人支持部の垂直位置に関係なく水平位置範囲で人支持部を移動させることができる、アクチュエータ機構と、
を備え、
アクチュエータ機構の運動を制御するプロセッサをさらに備える、
装置が提供される。
【０００９】
アクチュエータ機構は、基部によって２つの端部のうちの第１の端部で支持され、基部から略垂直に延在する細長形状の第１の線形アクチュエータと、第１の線形アクチュエータの２つの端部のうちの第２の端部によって支持され、略水平方向に延在する細長形状の第２の線形アクチュエータとを備え、人支持部は、第２の線形アクチュエータの自由端によって支持される。
【００１０】
本発明の第１の側面の１実施形態によると、ユーザインタフェースがプロセッサに接続され、ユーザインタフェースが、人支持部の垂直位置に関係なく人支持部の水平位置を手動で調節する入力手段を備え、ユーザインタフェースが、人支持部の水平位置と関係なくアクチュエータ機構の垂直位置を手動で調節する入力手段を備える。
【００１１】
本発明の第１の側面の１実施形態によると、ユーザインタフェースが、装置のオペレータに情報を表示するディスプレイ画面を備える。
【００１２】
本発明の第１の側面の１実施形態によると、ユーザインタフェースが、被支持者に情報を表示するディスプレイ画面をさらに備える。
【００１３】
本発明の第１の側面の１実施形態によると、ユーザインタフェースがタッチスクリーンをさらに備える。
【００１４】
本発明の第１の側面の１実施形態によると、ユーザインタフェースが、キー、ボタン、またはスライダなどの人支持部の水平位置を調節する専用入力手段を備える。
【００１５】
本発明の第１の側面の１実施形態によると、人支持部が被支持者の胴と可能であれば脇の下も支持する胴支持部であり、人の胸が胴支持部に面しており、胴支持部が被補助者の胸に係合する主係合面を有する。
【００１６】
本発明の第１の側面の１実施形態によると、胴支持部が、第２の線形アクチュエータの長手軸と略垂直な略水平軸を中心に胴支持部を回転させる回転アクチュエータによって第２のアクチュエータの自由端に動作可能に接続される。
【００１７】
本発明の第１の側面の１実施形態によると、アクチュエータ機構が第１の線形アクチュエータ、および／または伸縮自在な柱を備える前記第２の線形アクチュエータを備える。
【００１８】
本発明の第１の側面の１実施形態によると、伸縮自在な柱がスピンドル駆動装置を備える。
【００１９】
本発明の第１の側面の１実施形態によると、伸縮自在な柱が直列に配置される２つのスピンドル駆動装置を備える。
【００２０】
本発明の第１の側面の１実施形態によると、伸縮自在な柱が近位部、中間部、遠位部を備え、前記近位部が直列に配置される前記２つのスピンドル駆動装置の端部に接続され、前記中間部が一方のスピンドル駆動装置が他方のスピンドル駆動装置と接続される場所に接続される。
【００２１】
本発明の第１の側面の１実施形態によると、装置が、人支持部を回転させる回転アクチュエータを備える。
【００２２】
本発明の第１の側面の１実施形態によると、回転アクチュエータが、胴支持部の主係合面と略平行である水平軸を中心に前記胴支持部を回転させる。
【００２３】
本発明の第１の側面の１実施形態によると、線形アクチュエータが、前記伸縮自在な柱の長を調節するスピンドル駆動装置を備える。
【００２４】
本発明の第１の側面の１実施形態によると、線形アクチュエータが、前記伸縮自在な柱の長を調節するために直列に配置される２つのスピンドル駆動装置を備える。
【００２５】
本発明の第１の側面の１実施形態によると、伸縮自在な柱が略垂直に配置され、端部の一方が前記基部によって支持される。
【００２６】
本発明の第１の側面の１実施形態によると、伸縮自在な柱が前記基部によって旋回可能に支持され、前記装置が前記基部に対する前記伸縮自在な柱の角度位置を調節して前記胴支持部を略水平方向に移動させるアクチュエータを備える。
【００２７】
本発明の第１の側面の１実施形態によると、伸縮自在な柱が複数の同心および入れ子状（伸縮自在；ｔｅｌｅｓｃｏｐｉｃａｌｌｙ）に配置された柱部を備える。
【００２８】
本発明の第１の側面の１実施形態によると、伸縮自在な柱が、水平軸を中心に前記胴支持部を回転させる別のアクチュエータを備える。
【００２９】
本発明の第１の側面の１実施形態によると、伸縮自在な柱がいくつかの入れ子状に配置された部と少なくとも２つのスピンドル駆動装置とを備え、スピンドル駆動装置が直列に配置される。
【００３０】
本発明の第１の側面の１実施形態によると、各スピンドル駆動装置がスピンドルとナットを備え、スピンドルが固定されナットが回転自在である、あるいはスピンドルが回転自在でありナットが固定されることによって、一方のスピンドル駆動装置の回転自在部品が他方のスピンドル駆動装置の回転部を駆動する。
【００３１】
本発明の第１の側面の１実施形態によると、一方の回転部が噛合い歯車を介して他方の回転部を駆動する。
【００３２】
本発明の第１の側面の１実施形態によると、一方の部品が、直接または減速歯車を介して可逆電気駆動モータによって駆動される。
【００３３】
本発明の第１の側面の１実施形態によると、一方のスピンドル駆動装置のナットが管状部品であり、トレッドが略軸長にわたって延在し、スピンドルのねじ軸長がナットのねじ軸長よりもずっと短い。
【００３４】
本発明の第１の側面の１実施形態によると、一方のアクチュエータのスピンドルの長手軸が、他方のアクチュエータのスピンドルの長手軸に対して平行に延在し、所定距離にわたって変位している。
【００３５】
本発明の第１の側面の１実施形態によると、スピンドルアクチュエータが、少なくとも３つの入れ子状に配置された柱部を備えた伸縮自在な柱内に収容される。
【００３６】
本発明の第１の側面の１実施形態によると、伸縮自在な柱が近位部、中間部、遠位部を備え、近位部が直列に配置される２つのスピンドル駆動装置の端部に接続され、中間部が一方のスピンドル駆動装置が他方のスピンドル駆動装置に接続される場所に接続される。
【００３７】
本発明の第１の側面の１実施形態によると、伸縮部が伸縮自在な柱の一方の長手方向端の近位部と、伸縮自在な柱の中間の中間部と、伸縮自在な柱の他方の長手方向端の遠位部とを備え、近位部が一方のスピンドル駆動装置の一端に接続され、中間部が一方のスピンドル駆動装置の他端と他方のスピンドル駆動装置の前記一端に接続され、遠位部が他方のスピンドル駆動装置の他端に接続される。
【００３８】
本発明の第１の側面の１実施形態によると、アクチュエータ機構および患者支持アタッチメントが、他方のスピンドル駆動装置の自由可動端に脱着可能に装着される患者支持アタッチメントを有する。
【００３９】
本発明の第１の側面の１実施形態によると、装置が、アクチュエータ機構の自由端との脱着可能な装着に適した少なくとも２つの異なる患者支持アタッチメントを備える。
【００４０】
本発明の第１の側面の１実施形態によると、アタッチメントの一方が被支持者の胴と可能であれば脇の下も支持する胴支持部であり、人の胸が胴支持部に面する。
【００４１】
本発明の第１の側面の１実施形態によると、装置が、プロセッサに接続され、被補助者を識別する個人識別システムを備える。
【００４２】
本発明の第１の側面の１実施形態によると、個人識別システムが、プロセッサに接続されるリーダと被補助者に対応付けられる識別装置とを備え、識別装置がリーダによって読取可能である。
【００４３】
本発明の第１の側面の１実施形態によると、装置が、プロセッサに接続されるチップカードリーダと被補助者に対応付けられるチップカード、ＲＦＩＤリーダと被補助者に対応付けられるＲＦＩＤタグ、プロセッサに接続されるキーボードと被補助者に対応付けられるコード、またはプロセッサに接続される近距離無線アダプタと被補助者に対応付けられる装置に接続される近距離無線アダプタを備える。
【００４４】
本発明の第１の側面の１実施形態によると、被補助者に対応付けられる識別装置が、装置で被補助者を補助する際にプロセッサが装置を動作させる方法を伝える被補助者固有のデータを保持する。
【００４５】
本発明の第１の側面の１実施形態によると、プロセッサが、識別された被補助者に対応付けられる情報に基づきアクチュエータ機構を動作させる。
【００４６】
本発明の第１の側面の１実施形態によると、プロセッサが、識別された人に固有の経路に沿って、識別された人に固有の速度プロフィールで、識別された人の座位に対応する開始位置から識別された人の立位に対応する終了位置まで胴支持部を移動させる。
【００４７】
本発明の第１の側面の１実施形態によると、装置がプロセッサに接続されるユーザインタフェースを備え、ユーザインタフェースが装置のオペレータによって使用され、個人識別システムがユーザインタフェースを介して被補助者を識別する。
【００４８】
本発明の第１の側面の１実施形態によると、装置が、被補助者に対応付けられ、プロセッサにアクセス可能なメモリに記憶される個人固有運動プロフィールを備え、プロセッサが個人固有運動プロフィールに応じてアクチュエータ機構を移動させる。
【００４９】
本発明の第１の側面の１実施形態によると、個人固有運動プロフィールが、移動動作中にたどる経路と使用される速度プロフィールとに関する情報を含む。
【００５０】
本発明の第１の側面の１実施形態によると、装置が、プロセッサに接続されるメモリに記憶されるデフォルト（初期；ｄｅｆａｕｌｔ）運動プロフィールの複数の範囲を備える。
【００５１】
本発明の第１の側面の１実施形態によると、プロセッサは被補助者が装置を初めて使用するための初期プロフィールを作成し、初期プロフィールは人体測定データおよび／または障害等級などの被移動者つまり被補助者の特徴および／または特色に基づきプロセッサによって作成される。
【００５２】
本発明の第１の側面の１実施形態によると、プロセッサが複数のデフォルトプロフィールから初期プロフィールを選択する。
【００５３】
本発明の第１の側面の１実施形態によると、プロセッサが、被補助者に固有の経路に沿って、被補助者に固有の速度プロフィールで、識別された人の座位に対応する開始位置から識別された人の立位に対応する終了位置まで個人の運動プロフィールに応じて胴支持部を移動させる。
【００５４】
本発明の第１の側面の１実施形態によると、デフォルトプロフィールが異なる身長の複数の被験者に関する測定値から取得され、患者プロフィールが少なくとも患者身長を含み、プロセッサが識別された人の身長に最も近い身長に対応付けられるデフォルトプロフィールを選択する。
【００５５】
本発明の第１の側面の１実施形態によると、複数のデフォルト運動プロフィールが複数のデフォルト個人タイプとしてプロセッサに対応するメモリに記憶され、複数の個人タイプが人体測定データおよび障害等級などの人の特徴および／または特色の範囲全体に分布され、その範囲を網羅する。
【００５６】
本発明の第１の側面の１実施形態によると、プロセッサが、装置を初めて使用する人のために適切なデフォルト／初期プロフィールを選択するためオペレータからの入力を受信する。
【００５７】
本発明の第１の側面の１実施形態によると、装置が前記プロセッサに接続される１つ以上のセンサを備え、１つ以上のセンサが胴支持部への負荷および／または足底板への負荷を感知する。
【００５８】
本発明の第１の側面の１実施形態によると、装置が、膝支持部と膝支持部への負荷を検知するセンサとをさらに備える。
【００５９】
本発明の第１の側面の１実施形態によると、装置がプロセッサに接続されるディスプレイをさらに備え、プロセッサが、人がどの程度運動中の自己努力に関与するかを判定し、好ましくは、人がどの程度自己努力をもって運動に関与するかの判定結果を前記ディスプレイに表示する。
【００６０】
本発明の第１の側面の１実施形態によると、メモリがプロセッサに接続され、メモリが特定の人に対応付けられる運動プロフィールを記憶し、運動プロフィールが移動動作中にたどる経路と使用される速度プロフィールとに関する情報を含む。
【００６１】
本発明の第１の側面の１実施形態によると、プロセッサが、胴支持部への負荷が全般閾値または患者固有の閾値を超える運動部分について個人プロフィールの運動速度を低下させる。
【００６２】
本発明の第１の側面の１実施形態によると、プロセッサが胴支持部への負荷および／または足底板への負荷を監視し、負荷情報を用いて被補助者の運動における自己努力を判定する。
【００６３】
本発明の第１の側面の１実施形態によると、プロセッサが個人のジャーナル（履歴；ｊｏｕｒｎａｌ）に自己努力を記憶する、および／または自己努力に関する可視または可聴フィードバックを被補助者に提供する。
【００６４】
本発明の第１の側面の１実施形態によると、主係合面が胸用枕によって形成され、胸用枕は形状を被支持者の胸の形状に適合させる可撓状態を有するとともに、胸用枕が被支持者を支持する形状を維持できるように非可撓状態を有する。
【００６５】
本発明の第１の側面の１実施形態によると、装置がプロセッサを備え、プロセッサが胸用枕に動作可能に接続され、プロセッサが胸用枕の状態を制御する。
【００６６】
本発明の第１の側面の１実施形態によると、胸用枕が多数の小球で充填される袋を備え、袋がプロセッサによって制御される真空ポンプに接続される。
【００６７】
本発明の第１の側面の１実施形態によると、プロセッサが、被支持者が胸用枕に係合するときに袋内を大気圧とし、その後、装置の運動中に袋内を大気圧未満にして維持する。
【００６８】
本発明の第１の側面の１実施形態によると、胴支持部が被支持者の脇の下および／または肘を支持する肘掛けを備え、各肘掛けに脇の下係合枕が設けられ、脇の下用枕は、脇の下用枕が形状を被支持者の脇の下の形状に適合できる可撓状態を有するとともに、各脇の下用枕は、脇の下用枕が運動中に被支持者を支持する形状を維持できるように非可撓状態を有する。
【００６９】
本発明の第１の側面の１実施形態によると、各脇の下用枕が多数の小球で充填される袋を有し、脇の下用枕と胸用枕の袋が真空ポンプで接続される。
【００７０】
本発明の第１の側面の１実施形態によると、アクチュエータが胴支持部の水平位置と関係なく垂直位置範囲に胴支持部を移動させ、胴支持部の垂直位置に関係なく水平位置範囲に胴支持部を移動させる。
【００７１】
本発明の第１の側面の１実施形態によると、回転アクチュエータが、略水平旋回軸を中心に胴支持部を回転させるために胴支持部に動作可能に接続される。
【００７２】
本発明の第１の側面の１実施形態によると、旋回軸が主係合面と略平行である。
【００７３】
本発明の第１の側面の１実施形態によると、回転アクチュエータを含むアクチュエータ機構が、プロセッサに接続され、プロセッサのコマンド下で動作させられる。
【００７４】
本発明の第１の側面の１実施形態によると、胴支持部の回転角を、胴支持部の水平位置と関係なく、および胴支持部の垂直位置と関係なく調節することができる。
【００７５】
本発明の第１の側面の１実施形態によると、回転アクチュエータが電気駆動モータを備える。
【００７６】
本発明の第１の側面の１実施形態によると、アクチュエータ機構がそれぞれに電気駆動モータを有した２つの線形アクチュエータを備え、該装置が電気駆動モータ全部に動作可能に接続されるプロセッサをさらに備え、プロセッサが駆動モータの始動を同時に制御する。
【００７７】
本発明の第２の側面によると、プロセッサと、被移動者つまり被補助者を係合、移動、支持、または昇降する機構と、プロセッサのコマンド下で個人固有運動プロフィールに従って運動を実行するアクチュエータ機構と、プロセッサに接続される個人識別モジュールとを設けた人リフトの動作方法であって、
個人識別モジュールで移動される、昇降される、または補助される者を識別することと、
識別された被補助者に関する所望の個人固有運動プロフィールを検索することと、
プロセッサのコマンド下で検索された所望の個人固有運動プロフィールに従いアクチュエータ機構で運動を実行することと、
を備える方法が提供される。
【００７８】
本発明の第２の側面の１実施形態によると、被補助者を識別することは、被補助者に対応付けられる識別装置から情報を読み出すことを備える。
【００７９】
本発明の第２の側面の１実施形態によると、プロセッサが、内部若しくは外部メモリ、データベース、または被補助者に対応付けられる識別装置から所望の個人固有運動プロフィールを検索する。
【００８０】
本発明の第２の側面の１実施形態によると、方法が、被補助者に関する所望の個人固有運動プロフィールを検索または判定することと、プロセッサのコマンド下で検索された所望の個人固有運動プロフィールに従いアクチュエータ機構で運動を実行することとを備える。
【００８１】
本発明の第２の側面の１実施形態によると、個人固有プロフィールが、被補助者に対応付けられる識別装置からプロセッサに接続されるメモリへ転送される。
【００８２】
本発明の第２の側面の１実施形態によると、プロセッサがスロットに挿入されるチップカードとプロセッサに接続される装置のチップカードリーダ、プロセッサに接続されるユーザインタフェース、またはネットワーク接続を介した遠隔コンピュータ若しくはサーバから個人固有プロフィールを検索する。
【００８３】
本発明の第２の側面の１実施形態によると、方法が、複数の記憶されたデフォルトプロフィールから適切なプロフィールを選択することをさらに備える。
【００８４】
本発明の第２の側面の１実施形態によると、方法が、被補助者に関するデータを用いる、好ましくは最適運動プロフィールの近似値を求める式を用いることによって適切なプロフィールを算出するプロセッサをさらに備える。
【００８５】
本発明の第２の側面の１実施形態によると、方法が、プロセッサに接続される個人識別システムを用いて被補助者に関連するデータを取得することをさらに備える。
【００８６】
本発明の第２の側面の１実施形態によると、方法が、プロセッサに接続されるユーザインタフェースを介して人の個別データを取得することをさらに備える。
【００８７】
本発明の第２の側面の１実施形態によると、デフォルトプロフィールが異なる身長および／または背丈の複数の被験者に関する測定値から取得され、患者プロフィールが患者身長を含み、プロセッサが識別された人の身長に最も近い身長に対応付けられるデフォルトプロフィールを選択する。
【００８８】
本発明の第２の側面の１実施形態によると、被験者の運動プロフィールが、座位から完全または部分立位までの肩の移動経路を測定することによって確立される。
【００８９】
本発明の第２の側面の１実施形態によると、方法が、プロセッサが運動を実行する前に、個人固有プロフィールを補正する機会をオペレータに与えることをさらに備える。
【００９０】
本発明の第２の側面の１実施形態によると、リフトがプロセッサに接続される１つ以上のセンサをさらに備え、１つ以上のセンサが胴支持部および／または足底板への負荷を感知し、アクチュエータ機構がプロセッサからのコマンド下で被補助者を補助する運動を実行し、方法が、プロセッサからのコマンド下でリフトによって支持される人に対してアクチュエータ機構で運動を実行することと、被補助者を係合、支持、または昇降する機構への負荷を監視することとを備える。
【００９１】
本発明の第２の側面の１実施形態によると、方法が、負荷情報を用いる際に被補助者の自己関与を判定することを備える。
【００９２】
本発明の第２の側面の１実施形態によると、方法が、好ましくは可視／可聴フィードバックを用いて人または装置のオペレータに自己関与を伝えることをさらに備える。
【００９３】
本発明の第２の側面の１実施形態によると、方法が、自己関与を表すデータを判定する、記憶する、および／または送信することをさらに備える。
【００９４】
本発明の第１および第２の側面のいくつかの具体的な実施形態を上述したが、本発明は、上記の特徴が相互に排他的にならないように本発明の上記実施形態に記載した特徴のあらゆる組み合わせに関すると理解される。
【００９５】
２つの略直交して配置された線形アクチュエータを有するアクチュエータ機構を備えた患者リフトを設けることによって、アクチュエータ機構を上下および前後に独立して移動させることができるため、アクチュエータ機構を線形アクチュエータの範囲内の任意の経路で説明することができる。これは、患者の支持経路を特定の人の需要に応じて適合および個別化させることができるという利点を有する。
【００９６】
人支持部の具体的な例示の実施形態を本発明の以下の詳細な説明に記載したが、人支持部は、詳細な説明に実際に記載される以外の手段によって支持される人の上述の装置を用いた運動を可能にする手段も含むことができると理解される。
【００９７】
また、上述のアクチュエータ機構は上述した以外の用途でも使用できると理解される。
【００９８】
本開示による装置の他の目的、特徴、利点、特性は、詳細な説明から自明になるであろう。
【図面の簡単な説明】
【００９９】
本明細書の以下の詳細な説明では、図面に示す例示の実施形態を参照して本開示をより詳細に説明する。
【図１】人を補助する装置の例示の実施形態を示す側面図である。
【図２】図１の装置の図である。
【図３】図１の装置の立面図である。
【図４】図１の装置の上面図である。
【図５】上側始動柱の動作を詳細に示す図１の装置の立面図である。
【図６】上側始動柱の動作を詳細に示す図１の装置の別の立面図である。
【図７】装置の基部の動作を詳細に示す図１の装置の別の立面図である。
【図８】装置の胴支持部の動作を詳細に示す図１の装置の別の立面図である。
【図９】装置の肘掛けの動作を詳細に示す図１の装置の別の立面図である。
【図１０−１３】座位から立位へ人を補助する一連の運動における図１の装置の動作を示す図である。
【図１４】水平移動可能な膝支持部を示す図１の装置の側面図である。
【図１５ａ−１５ｂ】図１０〜１３に関する図１の装置の運動を示す概略図である。
【図１６−１８】装置のオペレータを含む図１の装置の動作および一連の運動を示す図である。
【図１９】オペレータ、図１の装置、装置のユーザ間の相互作用を示す図である。
【図２０ａ】ユーザインタフェースと個人識別システムとを示す図１の装置の立面図である。
【図２０ｂ−２０ｃ】図１の装置のユーザインタフェースの一部を示す立面図である。
【図２１ａ】図１の装置の上側柱アクチュエータと胴支持部の断面図である。
【図２１ｂ】図１の装置の上側柱アクチュエータ、胴支持部、肘掛けの前面図である。
【図２１ｃ】図１の装置の上側柱アクチュエータの別の実施形態の上面図である。
【図２１ｄ】図２１ｃに示す上側柱アクチュエータの断面図である。
【図２２】胴支持部の水平および垂直範囲を示す図１の装置の側面図である。
【図２３】図１の装置の胴支持部と肘掛けの詳細前面図である。
【図２４】胴支持部枕がデフォルト構造をとる図１の装置の胴支持部の詳細側断面図である。
【図２５】胴支持部枕の形状が被補助者の胸の形状に適合した図１の装置の胴支持部の詳細側断面図である。
【図２６】図１の装置の伸縮自在な柱アクチュエータの構造の側面図である。
【図２７】図１の装置の伸縮自在な柱アクチュエータの構造の上面図である。
【図２８】図１の装置の伸縮自在な柱アクチュエータの構造の側断面図である。
【図２９】図２６の線Ｃ−Ｃに沿った伸縮自在な柱アクチュエータの断面図である。
【図３０】図１の装置の伸縮自在な柱アクチュエータの端面図である。
【図３１】後退位置における図１の装置の伸縮自在な柱アクチュエータの別の実施形態を示す縦断面図である。
【図３２】拡張位置における伸縮自在な柱アクチュエータを示す図３１と同じ図である。
【図３３】図１の装置の伸縮自在な柱アクチュエータの別の立断面図である。
【図３４】図１の装置の電子制御システムのブロック図である。
【図３５ａ】図１の装置を示すフローチャートである。
【図３５ｂ】図３５ａのフローチャートの細部を示す図である。
【図３５ｃ】動作図である。
【図３５ｄ】別の動作図である。
【図３５ｂ】図３５ａのフローチャートの細部を示す図である。
【図３６−３８】図１の装置を使用する際の身長の異なる人の自然な運動曲線を示す図である。
【図３９−４０】ユーザが胴支持部を抱える異なる種類の胴支持部を備えた図１の装置の動作を示す図である。
【図４１−４２】人を補助する装置の別の実施形態を示す図である。
【図４３】図１の装置の別の実施形態を示す図であり、胴支持部が座席状構造をとることのできるストレッチャーと交換されており、ストレッチャーが座席状構造をとっている。
【図４４】装置と伸張位置の図４３のストレッチャーとを示す図である。
【図４４】請求項１に係る装置の別の実施形態を示す図であり、胴支持部が便座と交換されている。
【発明を実施するための形態】
【０１００】
図１ないし４は、例示の１実施形態に係る座位から完全または部分立位へ人を補助する装置の側面図、前面図、上面図、立面図である。装置１は略垂直柱５を支持する基部３を含む。基部３は一対の間隔をおいて配置された平行バー４から成る。間隔をおいて配置されたバー４は、装置を可動にするために自在車輪などの車輪が端部に設けられる。間隔をおいて配置された平行バー４は伸縮横ロッド１３、１４によって接続される。伸縮横ロッドは、間隔をおいて配置された平行バー４に固着される２つの部位１４を含む。部位１４は中央部位１３に摺動可能に収容される。略垂直柱５は部位１３に固着および支持される。被補助者の欠陥を支持する足底板６は部位１３によって支持される。膝支持部１１は垂直柱５によって支持される。膝支持部５は略水平に延在し、被支持者の各膝用のパッドを含む。膝当接面は、膝の横へのモーメントを防止するような輪郭を有することができる。本願で使用する「膝支持部」という文言は、向こう脛の上部および／または膝に対する当接面を提供する任意の支持部を含む。膝支持部１１（身長に合わせて調節可能）は、パッド面を横断する方向に移動できるように電動化あるいはバネ付勢される移動可能または調節可能な支持部とすることができる。略垂直柱５は、内蔵アクチュエータにより長さを拡張可能である。このアクチュエータについて以下より詳細に説明する。
【０１０１】
略水平柱７は、垂直柱５の上端によって支持され、上端に接続される。すなわち、略水平柱７は垂直柱５の拡張可能部によって支持される。略水平柱７は内蔵アクチュエータにより長さを拡張可能である（このアクチュエータは以下より詳細に説明する）。胴支持部８は水平柱７の自由端、すなわち水平柱７の拡張可能端に動作可能に接続される。胴支持部８は、被補助者の胸に係合するパッドまたは枕９によって形成される主係合面を含む。少なくとも胴支持部の主支持面は被覆物が取り付けられ、すなわち皮または布製ライニング下の軟弾性層で被覆されて、快適な枕状構造を形成する。１実施形態では、このパッドまたは枕９は、人の胸を係止できるように胸に形状を合わせて構成される。パッドまたは枕９の細部とその動作を以下より詳細に説明する。胴支持部８は枕９の各側に、被補助者の脇の下を支持する２つの肘掛け１５も含む。各肘掛け１５は、被補助者が握るための前方に突出するハンドル１６も含む。主支持面と胴支持部のハンドル１６間の距離は人の脇の下の平均長に相当し、個人のばらつきに合致するように調節することができる。胴支持部８は、被補助者の背中に巻き付けて、被補助者と胴支持部との接触が緩まないように確保する背中用ストラップ１７も含む。胴支持部は、水平柱７と胴支持部８間の接続部に位置する水平軸を中心に回転可能である。また、装置１は、装置１のオペレータ（操作者）の操作用の２つのハンドル１９も含む。
【０１０２】
図５および６は水平柱７の動作をより詳細に示す。矢印Ｘは拡張可能水平柱７の運動方向を示す。図５では拡張可能水平柱７は拡張位置にあり、図６では拡張可能水平柱７は後退位置にある。オペレータの操作用のハンドル１９は図５および６の実施形態では一体的な管状材料から成るが、図１〜４の実施形態では別々の管状材料から成るハンドルでなければならない。なお、背中用ストラップ１７は、被支持者の胴を胴支持部８の係合面９と係合させるように一端または両端で取り外すことができる。
【０１０３】
図７は、どのようにして間隔をおいて配置された平行バー４間の距離を調節することができるかを示す。矢印Ｚで示す間隔の調節は電動でも手動でもよく、ロッド部位１３のロッド１４の伸縮作用によって可能になる。平行バー間の距離の調節は、狭い通路やドアを通って誘導できるために特に有益である。
【０１０４】
図８は、どのようにして略垂直柱５の長さを調節して胴支持部の高さを調節できるかを示す。図８は、どのように胴支持部を矢印Ｘ方向の移動によって略水平軸Ａを中心に回転させることができるかを示す。矢印Ｘ方向の移動用のアクチュエータと軸Ａ周りの回転用のアクチュエータは柱７に内蔵されており、これらについて以下より詳細に説明する。垂直柱５、水平柱７のアクチュエータ、回転アクチュエータは一緒に形成され、装置等のアクチュエータ機構は、相互に関係なく垂直位置および水平位置の範囲全体にわたり胴支持部８に適する。回転位置も水平および垂直位置から独立している。
【０１０５】
図９は、被補助者の腕を固定するストラップ１６を示す。ストラップ１６は肘掛け１５を覆い、被補助者の脇の下が肘掛けから不注意に外れないように確保する。ストラップ１６の少なくとも一端は、肘掛け１５に係止されるように肘掛けと係脱可能である。１実施形態では、ストラップ１６は両端で肘掛け１５から脱離可能であるため、装置１は安全手段なしで動作することができる。
【０１０６】
図１０〜１３は、椅子２５上の座位から略立位まで被補助者３０を補助する手順を示す。椅子２５は可能な開始位置の１例である。しかし、開始位置はベンチ、ベッド、便器、またはその他の適切な対象上の座位であってもよい。手順の開始時、装置１は被補助者３０の方に回転されて、胴支持部８が被支持者３０を向く。胴支持部の係合面は被支持者と接触させられ、１実施形態では、係合面は係合対象の形状と自らの形状を適合させ、その後、その形状で係止することのできる枕９によって形成される。この枕９の構造の詳細を以下さらに説明する。被補助者３０は肘掛け１５に脇の下を配置し、両手でグリップ１６を握る。さらに、被補助者３０は足を足底板６に置く。この瞬間、被補助者は椅子２５からの起立を補助される準備が整っている。図１１〜１４の両方向矢印で示すように、膝支持部１１はリフトの支援なしに座位から立ち上がる人の膝に見られるような膝の水平方向の運動に順応するように移動可能である。１実施形態では、膝運動は、ガススプリングまたは螺旋状ワイヤスプリングなどの可撓素子によって許容される。１実施形態では、バネの特徴は被補助者のニーズに対応するように調節可能である。
【０１０７】
次に、部分または完全立位までの起立運動が人運動プロフィールに従って実行される。図１５ａは、人の部分的立位で終わる運動を概略的に示し（人に関して使用される運動プロフィールの実際の曲線ではない）、図１５ｂの終了位置３は図１２に示す位置に対応する。図１５ｂは、人の完全立位で終わる運動を概略的に示し（人に関して使用される運動プロフィールの実際の曲線ではない）、図１５ｂの終了位置４は図１３に示す位置に対応する。
【０１０８】
以下より詳細に説明するように、装置１は被補助者３０を識別するように構成される。上部は、様々な理由で人に対応付けられるデータを検索し記憶するように構成される。理由の一つは、適切な運動プロフィールを判定するために人の人体測定データおよび障害等級を取得することである。起立手順は、該当する人にとって最適な運動プロフィールに応じて実行される。最適運動プロフィールの決定について以下より詳細に説明する。
【０１０９】
垂直柱５のアクチュエータ、水平柱７のアクチュエータ、胴支持部の回転用のアクチュエータは互いに独立して動作させることができる。したがって、胴支持部は、経路に沿って、各自のアクチュエータの最大範囲内で自由に選択可能な胴支持部の回転角での運動を実行することができる。さらに、各アクチュエータの速度は個々に選択可能である。被補助者３０にとって適切なプロフィールが発見されたら、人３０を起立させるプロセスを開始することができる。適切なプロフィールは、人の自然な運動に近似する運動プロフィールである。図１１に最も良く示すように、胴支持部の運動は、水平柱７の後退と胴支持部８の反時計回りの回転（図１１に示すように反時計回り）から開始される。図１２に示す運動の次の段階で、水平柱７は後退し続け、胴支持部は反時計回りに回転し続けるが、胴支持部が上方にも移動するように垂直柱５も拡張し始める。起立位置に向かう運動の最終段階は、図１３に示す位置に到達するために、水平柱７が完全に拡張し胴支持部８が時計回りに回転する。なお、これは可能な運動の１例であり、特定の被補助者に合わせて適合させられており、アクチュエータの様々な始動の順序および大きさは状況に応じて全く異ならせることができる。椅子２５での座位から立位へと被補助者３０を補助する手順を、装置１のオペレータ４０も示しつつ図１６、１７、１８を参照して例示する。
【０１１０】
図１９は、オペレータと共に被補助者３０の立位を示す。
【０１１１】
図２０ｂおよび２０ｃを参照すると、チップカードリーダ５３が水平柱７の端部に設けられ、チップカード５５も示されている。チップカードリーダは装置１のプロセッサに接続される。スマートカードまたは集積回路カード（ＩＣＣ）とも呼ばれるチップカード５５は、集積回路を埋め込んだポケットサイズのカードである。スマートカード５５は被補助者を識別する情報を含む。スマートカードは、所望の運動プロフィールおよび／または人体測定データと障害等級などの被補助者に関するその他のデータも記憶することができる。チップカード５５を装置１と共に使用する前に、所望の運動プロフィールをカードに記憶させることができる。あるいは、所望のプロフィールは装置１によって生成する、または装置１に記憶される複数のプロフィールから選択されてチップカード５５に転送することができる。チップカード５５は２つ以上の装置１で使用することができるため、チップカード５５に記憶されるプロフィールは、人がメモリに自身のプロフィールをまだ記憶していない一方の装置１を使用する最初の時点で使用することができる。また、プロフィールが変更されると、チップカード５５に記憶される変更されたプロフィールは、変更されたプロフィールを知らない装置１に転送される。
【０１１２】
１実施形態では、装置１の電子システムは、スマートカード、携帯電話、またはチップまたは近距離タグを設けたその他の適切な装置などの被補助者のデータを保持する装置との通信用に、近距離無線アダプタ（たとえばブルートゥース）および／または近距離センサ（ＲＦＩＤ）を含む。
【０１１３】
装置１は、複数のボタンを設けた別個のキーボード６２またはタッチパッドなどの別の入力手段も含むことができる。１実施形態では、キーボードはオペレータ４０にデータをフィードバックするディスプレイ６１も含む。キーボード６２とディスプレイ６１はプロセッサに接続される。
【０１１４】
１実施形態では、被補助者は、キーボード６２を用いて被補助者のコードまたはパスワードを介して識別される。
【０１１５】
１実施形態では、装置１には、被補助者３０の視野内に置かれたディスプレイが設けられる。
【０１１６】
図２１ｂは、肘掛け１５の構造と胴支持部から肘掛けを懸架する構造とをより詳細に示す水平柱７と胴支持部８の端面図である。胴支持部８と肘掛け１５間の距離は、枕９の背後のフレームから突出し、様々な位置で枕９への様々な距離で肘掛け１５を係合させるロッド２３の歯を含む機構を通じて調節することができる。また、肘掛け１５は、たとえば同心ロッドを用いる機構によって、水平柱７の長手方向に調節することができる。
【０１１７】
図２１ａは、旋回ピン２９を中心に胴支持部８を回転させる回転アクチュエータを示す断面図である。旋回ピン２９の長手軸は図８の軸Ａに一致する。胴支持部８を回転させる回転アクチュエータは水平柱７内に配置され、減速歯車を含む駆動モータ２３、チェーン２５、スプロケット２６を含む。駆動モータ２３はチェーン２５と係合するスプロケット（図示せず）に接続され、チェーン２５はスプロケット２６を駆動させる。スプロケット２６は、アーム２７を駆動する別の歯車に接続される。アーム２７はリンク２８の末端に旋回可能に接続され、リンク２８の他端は胴支持部８に旋回可能に接続される。駆動モータ２３が動作方向の一方に始動されると、胴支持部８は図２１ａに示すように反時計回りに回転し、駆動モータ２３が反対方向に動作されると、胴支持部は図２１ａに示すように時計回りに回転する。
【０１１８】
図２１ｃは上側柱アクチュエータ７の別の実施形態の上面図である。図２１ｄは図２１ｃに示す上側柱アクチュエータの断面図である。上側柱アクチュエータ７の本実施形態は図２１ａおよび２１ｂを参照して示した実施形態とほぼ同じであり、同一の参照符号は同一の部品または素子を表し、例外として、回転アクチュエータが電気駆動モータ２３（減速歯車を含む）によって駆動されるスピンドルアクチュエータ２５’を有し、スピンドル駆動装置２５’のスピンドルの自由端が接続ロッド２８を介してフレームに接続され、接続ロッド２８は端部でスピンドル駆動装置のスピンドルの自由端とフレーム３６とにそれぞれヒンジ接続される。柱７の長を変更する線形アクチュエータ機構は、図２６〜３６に関する下記の詳細な説明と同一の参照符号を使用して詳細に説明する。
【０１１９】
充電池５０／制御部は水平柱７の下に搭載される。
【０１２０】
図２２は装置１の側面図であり、ハッチング領域は胴支持部８のＸおよびＹ方向（水平および垂直位置）の範囲を示す。垂直柱５のアクチュエータと水平柱７のアクチュエータの独立性により、胴支持部８はハッチング領域内の任意の位置をとることができ、各自の柱のアクチュエータに動作可能に接続される制御部５０の制御下でハッチング領域内に記載される任意の経路に沿って移動することができる。同時に、胴支持部８用の回転アクチュエータは水平および垂直アクチュエータと別々に独立して動作することができるため、胴支持部８はハッチング領域内の任意のまたはＹ位置をとりつつ角度位置範囲内で任意の角度位置をとることができる。また、水平、垂直、回転アクチュエータの速度も、プロセッサ／制御部５０のコマンド下で個々に独立して制御することができる。
【０１２１】
図２３は、真空ポンプ６０と、肘掛け１５のライニング下に配置される袋に真空ポンプを接続する管６３とを示す、胴支持部８の端面図である。
【０１２２】
図２３〜２５は、図２３の線Ａ−Ａに沿った断面図である図２４および２５でより詳細に、胴支持部８の胸係合面を形成するパッドまたは枕９を示す。パッドまたは枕９は後ろ側がフレーム３６に固定され、前側が被補助者の胸に対面するように配置される。パッドまたは枕９は、大量の超小球、好ましくは発泡プラスチック球から成る充填物３４を有する袋３２を囲む外面材料または布または革材料製のライニングを有する。袋３２は、コントローラ５０に接続される真空ポンプに接続される。真空ポンプ６０の動作中、袋３２は収縮して、小発泡プラスチック球を全部一緒に押圧することによって、球が押圧される際に自由に動けなくなるために真空の印加時に枕９の形状を定着させる。真空ポンプ６０が動作を停止されると、袋３２内の圧力が大気圧に戻り、小発泡プラスチック泡がもはや押圧されないために枕９は再び可撓となる。動作中、被補助者３０は枕９と胸とを係合させるが、真空ポンプは動作しておらず、枕の形状は被補助者３０の胸の形状に容易に適合する。被補助者３０が枕９と係合した直後、真空ポンプが作動され、枕９の形状は固定されて、もはや容易には変更されないため、被補助者３０は快適かつ確実に胴支持部８と係合し、真空が枕９に印加されている限り、被支持者は胴支持部８に対して移動する可能性が低い。袋３２の真空は補助動作中維持されて、補助動作の終了後のみ大気圧に戻される。
【０１２３】
よって、枕９は、形状を被支持者の胸の形状に合致させることができる可撓状態と、形状を被支持者を支持する形状に維持できる非可撓状態とを有するように構成される。
【０１２４】
また、肘掛け１５の内側ライニングにも、可撓状態のときに圧力を印加して被補助者による所与の形状で固定させることができる枕が設けられる。多数の小球で充填される袋（図示せず）が各肘掛け１５のライニング下に設けられる。これらの袋は管６３を介して真空ポンプ６０に接続される。肘掛け１５の袋の動作は袋３２の動作と略同じであり、被支持者の腕を支持する快適な形状に肘掛け内のパッドを係止／固定する（非可撓状態にする）ために、被支持者が肘掛けと係合した後に真空が印加される。１実施形態では、切換弁（図示せず）が真空ポンプ６０と袋間に配置されて、独立して各袋に真空を印加することができる。
【０１２５】
１実施形態では、膝支持部１１に胸用枕９と同じ特徴、すなわち被補助者が膝支持部と係合し膝支持部の形状を成す可撓状態と、運動中のその後の非可撓または固定状態とをとることができる枕／係合面が設けられる。
【０１２６】
図２６〜３０を参照して、柱５および７とそこに配置される線形アクチュエータの構造を説明する。図２８は柱５、７の長手範囲に沿った断面図であり、図２９は従来の断面図である。柱は３つの入れ子状に配置された部位７１、７２、７３から構成され、本実施形態では部位７１は同心円上で最も内側の長手状の遠位部であり、部位７２は同心円上で長手状の中間部であり、部位７３は同心円上で最も外側の長手状の近位部である。部位７１、７２、７３は先細の楕円状断面外形を有する環状部材である。１実施形態における部位７１、７２、７３は金属材料、好ましくはアルミニウム合金製である。減速歯車７６と１ユニットとして形成される電気駆動モータ７５は部位７３の自由端に配置される。減速歯車７６の出力は第１のスピンドル駆動装置のスピンドル７７に接続される。第１のスピンドル駆動装置のナットは、部位７２の近位端壁８９に固定される管７８によって形成される。スピンドル７７と同心の歯車８４は溝およびナットまたはその他の適切な機構によってスピンドル７７に回転可能に固定されるが、歯車８４は端壁８９には軸方向に固定され、スピンドル７７には軸方向に固定されないため、歯車８４はスピンドル７７と連携して回転するものの軸方向には不動である。歯車８４は、端壁８９から回転可能に懸架される別の歯車８５と噛み合う。歯車８５は第２のスピンドル駆動装置のスピンドル８１に固着されるため、歯車８５とスピンドル８１が連動して回転し、いずれも端壁８９に対して軸方向に変位不能である。スピンドル８１は、部位７１の近位端壁８８に固定されるナット８３と螺合される。管７８は端壁８８の穴に摺動可能に収容される。駆動モータ７５が始動されると、スピンドル７７が回転し、歯車８４、８５を介してスピンドル８１を回転させる。管７８との螺合により、スピンドル７７は中間部位７２を軸方向に変位させる。ナット８３との螺合により、スピンドル７８は同時に遠位部位７１を軸方向に変位させる。したがって、「タンデム」または「直列」スピンドル駆動装置が形成される。直列スピンドル機構により、これらの部位は同時に伸縮自在に変位するように確保される。電気駆動モータ７５の回転方向を変更すると、部位７１、７２の変位方向も変更される。
【０１２７】
図３１から３３は、柱５、７の構造の別の例示の実施形態を示す。本実施形態は上述の実施形態に類似し、同心および伸縮自在に配置された同一の３つの部位７１、７２、７３を含む。しかしながら、本実施形態では、電気駆動モータ７５および減速歯車７６は部位７１に固定され、駆動モータは部位７２の遠位端壁８９に固定される静的スピンドル７７を中心に管８７を回転させる。遠位端壁８９は、歯車機構７９が固定される基板でもある。管７８は第１のスピンドル駆動装置の定置スピンドル７７に螺合される。歯車機構７９は管７８の回転を第２のスピンドル駆動装置のスピンドル８１に伝達する。スピンドル８１は部位７１に接続される管８３と螺合される。よって、「タンデム」または「直列」スピンドル駆動装置が形成される。直列スピンドル機構により、上記の部は同時に伸縮自在に変位するように確保される。電気駆動モータ７５の回転方向を変更すると、部位７２、７３の変位方向も変更される。
【０１２８】
図３４は装置１の電子システムのブロック図である。電子システムの中心はプロセッサである。電子システムの電源は充電池である。電力変換装置は充電池に接続され、電力変換装置はプロセッサによって制御される。回転アクチュエータの電気駆動モータ、水平アクチュエータの電気駆動モータ、回転アクチュエータの電気駆動モータは電力変換装置に接続されて、プロセッサによって個別に制御されることができる。いくつかの異なる種類のメモリ装置によって形成してもよいメモリもプロセッサに接続され、プロセッサの動作およびプロセッサによって使用されるデータのためのソフトウェアおよびプログラムを含む。１実施形態では、電子システムは、遠隔サーバまたはオペレータとの通信用のネットワークアダプタ、好ましくは無線ネットワークアダプタも含む。電子システムは、スマートカードまたは携帯電話などの被補助者のデータ保持装置との通信のために、近距離無線アダプタ（たとえばブルートゥース）または近距離センサ（ＲＦＩＤ）も含むことができる。ユーザインタフェースはスピーカ、タッチパッドまたはタッチスクリーンまたはキーパッド、従来のディスプレイ画面、スマートカードリーダから成り、これらすべてが指示またはデータをプロセッサに入力するためにプロセッサに接続される。Ｘ、Ｙ（水平および垂直位置）センサと回転角センサもプロセッサに接続される。さらに、被支持者がＸおよびＹ方向で胴支持部８に印加する力を登録するセンサもプロセッサに接続される。１実施形態では、一方の肘掛けへの力と他方の肘掛け１５への力に関して別個のセンサが設けられる。さらに別の実施形態では、被支持者が足底板に印加する力を登録するセンサもプロセッサに接続される。
【０１２９】
昇降運動は個々の被支持者に合わせて調節され、自然な運動パターンを真似る。人は足関節によって生じる旋回位置全体にわたって身体の重心を移動させることで起立する。人間は２本の脚で立ち上がるために、このように起立してきた。１実施形態では、膝支持部が可動であり、水平面での膝運動に従う。
【０１３０】
この個々の運動は、支持運動／移動毎に同じ運動パターンと速度を達成するように個人スマートカードに記憶させることができる。
【０１３１】
リフト上の選択された位置でセンサを使用することによって、昇降手順における被支持者自身の関与を測定し視覚化することができ、これはより関与しようという意欲を引き出すものになる。これらの関与データは、被支持者による機器の使用を査定する際に医療従事者が使用するようにスマートカードに記憶させるべきである。
【０１３２】
毎日、リハビリ機能を被支持者用の訓練プログラムで実行することができ、該プログラムでは、被支持者を運動させる、たとえば脚の筋肉を訓練して装置内で立ち上がらせた後、リフトを自動的に何度か再度わずかに上下させるようにスマートカードをプログラミングする。リフトは、移動の際の被支持者の能動的関与を視覚化する監視方法を有する。これらの測定値は記録され、被支持者の装置使用能力を査定するのに使用される。
【０１３３】
運動手順
被支持者が日常の移動で補助されるとき、通常は療法士または専門の運動助手がこの査定に関係する。被支持者の装置の使用能力が査定される。
【０１３４】
ソフトウェアプログラムは、被支持者のプロフィールを作成し、初期プロフィールを作成するのに必要な最初のニーズを満たすように設計される。
【０１３５】
被支持者のデータと「経験アルゴリズム」に基づき、ソフトウェアは被支持者のスマートカードで符号化される特注のプロフィールを作成する。この運動プロフィールは、被支持者の運動パターンに完全に合致するとみなされるまでテストされ調節されるべきである。スマートカードは、運動が被支持者にとって最適か否かに関する初期評価に使用することのできる、最初の移動に関する情報を収集する。アルゴリズムは、様々な測定値に基づき最適移動を達成するために存在する。
【０１３６】
ソフトウェア
リフトからのデータをスマートカードに記録
移動とバランスを助ける被支持者の能力を測定するセンサがリフトに設けられる。これらの測定値は、後の被支持者の査定用にスマートカードに記憶される。ソフトウェアは、正しいルーチンをとるために、読み取りやすいように被支持者の進歩を表示する。被支持者は片手でリフトを使用できないほど弱っている、あるいは機器を使用する必要がないほど回復している場合があるために、これが非常に重要である。
【０１３７】
クラウドコンピューティング記憶システムは「経験データベース」をサポートする。ソフトウェアは幅広い機能を有する。
−個々の被支持者のデータ（記録管理）を取り扱う
−被支持者にとって最適な運動パターンを選択するようにオペレータまたは療法士を誘導する
−スマートカードからデータを検索して運動プロフィールを決定する
−装置からデータを受信する
−データを記憶して、データを照合する
プロフィール、記録、入力：
・一意の個人識別情報
・被支持者の名前
・住所
・誕生日
・「障害」の説明（たとえば半身麻痺、筋力低下）
・身長
・体重
・ステップ高
・腹囲
・起立能力の等級、たとえば１−５
・速度の選択、たとえば１−５
【０１３８】
これらのデータとアルゴリズム（前記アルゴリズムはユーザの試験と療法士の経験に基づいて作成される）に基づき、ソフトウェアは、スマートカードのメモリに記憶される１セットのデータパラメータとして表すことのできる運動および速度を示唆する。
【０１３９】
オペレータは、システムの他のユーザからの自発的報告から形成される共通の経験ベース内のアルゴリズムを選択することもできる。「経験データベース」は、ユーザがコメントし、データベースで利用可能な運動パターンを「等級付け」することができる経験を提供することができる。
スマートカードデータ：
既知の規格、たとえばＩＳＯ／ＩＥＣ７８１６または７８１６−３でカードにロードされるパラメータ
パラメータ：
・一意の個人識別情報
・被支持者の名前
・誕生日
・運動データ
リフトからスマートカードへのデータ収集：
・リフトのセンサは体重分布を監視し、マップに測定値を供給する。測定値はたとえば、開始位置、半立位、完全立位での足／腕重量分布である。
・移動毎のタイムスタンプ
スマートカードからのデータのロード：
・すべてのデータがカードからメモリにロードされる。
・「査定」アルゴリズムがデータを見て、移動回数と被支持者の能力に関する視覚的な概要を提供する。
【０１４０】
ソフトウェアはデータを記憶し、データを照合するコードを含む。
・被支持者の記録および関連のコメントに関する局所データベースに記憶される全データ
・データおよびコメント。共有経験データベース（個人データは共有されない）
【０１４１】
ソフトウェアは、リフトからのデータをスマートカードに収集するコードも含む。
・リフトのセンサは体重分布を監視し、所定の測定値をマップに供給する。測定値はたとえば、開始位置、半立位、完全立位での足／腕重量分布である。
・日々の移動のタイムスタンプ
【０１４２】
メモリ上のこのソフトウェアは、プロセッサが支持運動を実行するためのプログラムコードを備える。図３５ａのブロック図は、支援手順、すなわち被補助者の座位から立位へ、またはその逆の運動等の運動を制御するためのプログラムコードの例示の実施形態を示す。手順の開始時、プログラムコードはプロセッサに対して、被補助者の識別情報が既知であることを認証するように命じ、被補助者の識別情報が既知でない場合、スマートカード５５がスマートカードリーダ５３に挿入されているか否かを確認するようにプロセッサに命じる。スマートカード５５がスマートカードリーダ５３に挿入されていなければ、プログラムコードはスマートカード５５の挿入を待つようにプロセッサに命じる。スマートカード５５が挿入されると、プログラムコードはプロセッサに対して、スマートカード５５上のデータを読み取り、識別された人に関する情報を検索するように命じる。
【０１４３】
被補助者の識別情報が手順の開始時に分かっている場合、プログラムコードはプロセッサに対して、適切な運動プロフィールを選択するステップに直接進むように命じる。また、人のＩＤがスマートカード５５から検索された後、プログラムコードはプロセッサに対して適切な運動プロフィールを選択するように命じる。１実施形態では、適切な運動プロフィールがスマートカードに記憶される。図３５ｂは、被補助者が適切なプロフィールをまだ入手できないときの初期プロフィールの選択の詳細を示し、１セットのデフォルトプロフィールから初期プロフィールを選択すること、あるいは初期プロフィールの算出を決定することを含み、いずれの場合も被補助者の特徴に基づく。適切な運動プロフィールの選択後、運動プロフィールプロセッサは胴支持部８を開始位置に移動させるオペレータからの信号を待つ。プロセッサが線形アクチュエータおよび回転アクチュエータに開始位置への移動を支持した後、プログラミングコードはたとえば被補助者の座る椅子またはベンチを降下させるため、ハンドルバー１９のボタン５８を使用して胴支持部８の開始位置を手動で調節する機会をオペレータに与える。次に、プログラミングコードは、（ユーザインタフェースを介して入力される）オペレータからの信号を待ち、この信号の受信後、プロセッサは選択された運動プロフィールに応じて補助運動を開始する。移動動作中、プログラムコードはプロセッサに対して、負荷センサを監視し、患者の関与レベルを表示し、負荷センサの測定値が臨界を越えた場合に動作を停止するように命じる。１実施形態では、足底板の負荷と胴支持部の負荷間の比が閾値より高いとき、被支持者の関与をプラスとして表示する。１実施形態では、いくつかの閾値がそれぞれ被支持者の異なるレベルの関与と対応付けられる。１実施形態では、閾値が胴支持部の位置に関連して可変である、すなわち、閾値が胴支持部の位置と共に変動する。
【０１４４】
図３５ｃは、装置１、１０１に関連するシステムの各種要素に関わる機能を示すシステム図の例示の実施形態を示す。看護助手は、名前、ＩＤ番号、時間：日中、夕方、または夜間、治療中の患者などの情報に対応付けられる。看護助手は患者データを追加する、移動させる、スマートカードを焼く、患者データを変更することを許可される。理学療法士は名前、ＩＤ番号、地域に対応付けられる。理学療法士は患者を作製し、データを分析し、スマートカードを編集することを許可される。
【０１４５】
システムの管理者は、ユーザの名前を付ける、パスワードをリセットする、ログインデータにアクセスする、システムに記憶されたデータを変更することを許可される。
【０１４６】
記録はシステムに対応付けられる、たとえばサーバのドライブ以外の種類のデータ記憶装置に記憶される。記録は、要素を追加、削除、表示、カウントすることができる。
【０１４７】
最初の移動日、日々の移動回数、総移動回数、リフト重量ステップ、リフト重量ステップ２、リフト重量ステップ３、分割表などの移動（運動）の履歴が記憶される。履歴は追加、変更、または表示することができる。
【０１４８】
移動は市民登録番号（たとえば社会保障番号）、看護助手ＩＤおよび移動日と関連づけられ、移動の詳細を表示することができる。
【０１４９】
スマートカードは、市民登録番号、体重、身長、股長、腹囲、起立能力：等級（１−５）、速度（１−５）：ｈ／ｖ度、ｆ／ｂ度、ベッド長、椅子長、車椅子長、シャワー椅子長を記憶する。データは読み取る、保存する、表示することができる。
【０１５０】
患者（被支持者）は名前、年齢、症状に対応付けられる。
【０１５１】
図３５ｄは、装置の動作に関する例示の実施形態の概略図である。動作の開始時、看護助手がスマートカードを装置のスマートカードリーダに差し込む。次いで、負荷嗜好（運動プロフィール）がスマートカードから装置に転送される。次のステップで、看護助手が、たとえば椅子や便器など、どこから移動を開始するかを選択する。
【０１５２】
その後、装置は胴支持部を開始位置へ降下させる。被補助者が胴支持部に固定されると、看護助手は「上」コマンドを選択して、装置は被補助者に対応付けられる運動プロフィールに示される立位のための所望の身長まで胴支持部を移動させる。次に、装置は実行された移動に対応付けられるデータをスマートカードに記憶する。次のステップとして、看護助手は装置を降下させる選択を行い、「下」コマンドを選択する。その後、装置は胴支持部を降下させて開始位置まで戻す。この移動が完了すると、装置は実行された移動に対応付けられるデータをスマートカードに移動する。
【０１５３】
プログラムコードはプロセッサに対して、胴支持部が終了位置に到達したときに動作を停止するように命じ、その後、支援運動中に捕捉したセンサデータを非支持者の個人記録に記憶するように命じる。センサデータは１実施形態では、人の関与レベルを含む。次のステップとして、プログラムコードはプロセッサに対して個人プロフィールを改変または向上させる必要性を分析するように命じ、必要に応じて、プロセッサは個人プロフィールを調節する必要性をオペレータに伝える。その後、補助運動が完了し、プログラムが終了する。
【０１５４】
図３６、３７、３８は、支持動作中に被補助者が膝関節を固定され、膝関節を中心に脚上部を回転させ、脚上部がリンク機構の一方のリンクを形成し、被支持者の上半身がリンク機構の他方のリンクを形成し、被支持者の腰が２つのリンク間で旋回すると仮定することによって確定された運動プロフィールを示す。曲線は、座位から立位、またはその逆の運動中に被支持者の重心が足関節の上方にとどまると仮定することによって確定される。３つの曲線は１．７ｍと１．９ｍの身長の人を表す。これらの２つの値の間、およびこれらの２つの値を超えるおよび未満の人に関する曲線は、表または式を用いてプロセッサによって算出することができる。これらの表または式は１実施形態では、人の大腿骨長、体重、身長を含む。膝支持部１１の運動が２つの位置で示され、膝支持部１１の移動量は１実施形態では３０ｍｍであり、図３７〜３９では数値３０によって示される。数値４５０および５００は、１．７ｍの身長の人と１．９ｍの身長の人の場合の大腿骨長と脊柱長をそれぞれ示す。
【０１５５】
脚上部と上半身によって形成されるリンクの長さの分布が同様であると仮定し、身長の異なる人では異なる曲線が算出される。図３６は身長の異なる３人に関する３つの曲線のみを示すが、１実施形態では、プロセッサに対応するメモリは、好ましくは均等なインクリメント（増加量）で身長の異なる人に関してさらに多くのデフォルト運動プロフィールを記憶する。複数のデフォルト運動プロフィールが、複数のデフォルト個人タイプとしてプロセッサに対応するメモリに記憶される。複数の個人タイプは、人体測定データや障害等級などの人の特徴および／または特色の範囲全体にわたって分布され、その範囲を網羅する。人の特徴および／または特色の範囲は通常、座位から立位への移動を補助する装置を用いる人の群を表す。
【０１５６】
デフォルトプロフィールは、まだ装置を使用したことのない被支持者の初期プロフィールを選択するのに使用することができる。これに関して、オペレータまたはプロセッサは、被支持者の身長に最も近いデフォルトプロフィールを選択する。１実施形態では、これはたとえばスマートカードからのデータを使用して、人のプロフィールに記憶される身長に最も良く合致するデフォルトプロフィールを選択する工程によって達成される。図３７は完全立位を達成する２つのデフォルトプロフィールを示し、図３８は座位から半立位に移る異なる身長の人の２つのプロフィールを示す。
【０１５７】
図３９および４０は、図１ないし３８に示す装置１と略同じである装置１０１の別の例示の実施形態を示すが、例外として、胴支持部３９の構成が異なる、すなわち、被支持者によって包囲されなければならない物体として構成される。つまり、被支持者は腕を胴支持部３９に巻き付ける。被支持者の胸との係合面を形成する胴支持部３９の枕には、枕９を参照して上述した技法を用いて、人が枕に係合した後に形状が固定できる枕が設けられてよい。本実施形態に係る胴支持部３９は、好ましくは図示するような肘掛けも含む。胴支持部以外の装置１０１の部品の動作と構造は、上述の実施形態と同一の本実施形態にも設けられる。
【０１５８】
図４１および４２は、図１〜３９の実施形態とほぼ同一の装置１０１のさらに別の例示の実施形態を示す。本実施形態では、垂直柱１０５は、平行に間隔をおいて配置されたバー１０を備える基部１０３から旋回可能に支持される。電気駆動モータと減速歯車とを有するアクチュエータなどの回転アクチュエータが垂直柱１０５の角度位置を制御する。本例示の実施形態では、胴支持部１１５は、垂直柱１０５の上端に装着される上部１１６に回転可能に接続される。上部１１６は、上部１１６に対して胴支持部１１５を回転させる回転アクチュエータを含む。
【０１５９】
動作中、胴支持部の位置の垂直方向調節、すなわち高さの調節は、垂直柱１０５の線形アクチュエータの始動によって図１〜３９による実施形態と同様に達成される。胴支持部の水平位置調節は、回転アクチュエータによって実行される、基部１０３での旋回点を中心にした垂直柱１０５の回転を通じて達成される。
【０１６０】
図４３は、胴支持部が座席状構造をとることのできるストレッチャー８０と交換される装置１の別の実施形態を示す。ストレッチャー８０は水平柱７の自由端に脱着可能に装着される。ストレッチャー８０は、装置１で上述の実施形態の垂直柱５および水平柱７のアクチュエータによって移動させることができる。回転アクチュエータは必要に応じてストレッチャー８０を傾斜させることもできる。ストレッチャーが装置に脱着可能に装着される場合、装置１はストレッチャーの完全な支持を必要とする患者、すなわち胴支持部の補助があっても起立できない患者を輸送するために使用することができる。１実施形態の装置は車輪付きであるため、装置を使用してこのような患者／人３０を輸送することができる。図４４は装置１と伸張位置のストレッチャー８０とを示し、被輸送者３０はストレッチャー８０に仰向けになっている。図４５は、座席９０、好ましくは水平柱７の自由端に脱着可能に装着される、中央部に開口を備えた便座９０を備えた装置１を示す。装置１は、垂直柱５のアクチュエータを用いて人／患者３０を伴う、または伴わない便座を上下させることができ、回転アクチュエータを用いて人／患者３０を伴う、または伴わない便座９０を傾斜させることができる。垂直柱７のアクチュエータを用いて、便座９０の水平方向の位置を調節することもできる。１実施形態の装置１は車輪付きにすることができるため、装置１の助けを借りて便器から患者／人３２を輸送することができる。胴支持部８、ストレッチャー８０、便座９０は、オペレータが患者支持アタッチメント８、８０、９０を容易に変更できるクイック連結またはスナップ嵌めによって、回転アクチュエータにおいて水平柱７の自由端、たとえば、フレーム３６に脱着可能に装着される。このように、アクチュエータ機構は、脱着可能に装着される患者支持アタッチメントの一方を有するように構成される。１実施形態では、装置１は、装置１のアクチュエータ機構の自由端に脱着可能に装着できる少なくとも２つの異なる患者支持アタッチメントを備える。装置は可動リフトとして図示されているが、当該技術において十分に既知だが本願には例示されていない、適切な固定手段によって搭載される床、壁、または便器のいずれかに改造することができる。
【０１６１】
上記の実施形態はスマートカードおよびスマートカードリーダを使用して開示しているが、近距離通信およびユーザＩＤや指紋の入力などのその他任意の適切な識別手段も同等に使用可能であると理解される。
【０１６２】
本願の教示は例示のために詳細に記載されているが、このような詳細は単に例示目的であり、当業者は本願の教示の範囲を逸脱せずに様々な変更を行うことができると理解される。
【０１６３】
請求項に使用される「備える（ｃｏｍｐｒｉｓｉｎｇ）」という文言は、他の要素またはステップを除外するものではない。請求項で使用される「ａ」または「ａｎ」という文言は複数を除外するものではない。単独のプロセッサまたはその他のユニットで請求項に記載されるいくつかの手段の機能を実現してもよい。
【図１】
2016519599.tif 000003
【図２】
2016519599.tif 000004
【図３】
2016519599.tif 000005
【図４】
2016519599.tif 000006
【図５】
2016519599.tif 000007
【図６】
2016519599.tif 000008
【図７】
2016519599.tif 000009
【図８】
2016519599.tif 000010
【図９】
2016519599.tif 000011
【図１０】
2016519599.tif 000012
【図１１】
2016519599.tif 000013
【図１２】
2016519599.tif 000014
【図１３】
2016519599.tif 000015
【図１４】
2016519599.tif 000016
【図１５ａ】
2016519599.tif 000017
【図１５ｂ】
2016519599.tif 000018
【図１６】
2016519599.tif 000019
【図１７】
2016519599.tif 000020
【図１８】
2016519599.tif 000021
【図１９】
2016519599.tif 000022
【図２０ａ】
2016519599.tif 000023
【図２０ｂ】
2016519599.tif 000024
【図２０ｃ】
2016519599.tif 000025
【図２１ａ】
2016519599.tif 000026
【図２１ｂ】
2016519599.tif 000027
【図２１ｃ】
2016519599.tif 000028
【図２１ｄ】
2016519599.tif 000029
【図２２】
2016519599.tif 000030
【図２３】
2016519599.tif 000031
【図２４】
2016519599.tif 000032
【図２５】
2016519599.tif 000033
【図２６】
2016519599.tif 000034
【図２７】
2016519599.tif 000035
【図２８】
2016519599.tif 000036
【図２９】
2016519599.tif 000037
【図３０】
2016519599.tif 000038
【図３１】
2016519599.tif 000039
【図３２】
2016519599.tif 000040
【図３３】
2016519599.tif 000041
【図３６】
2016519599.tif 000042
【図３７】
2016519599.tif 000043
【図３８】
2016519599.tif 000044
【図３９】
2016519599.tif 000045
【図４０】
2016519599.tif 000046
【図４１】
2016519599.tif 000047
【図４２】
2016519599.tif 000048
【図４３】
2016519599.tif 000049
【図４４】
2016519599.tif 000050
【図４５】
2016519599.tif 000051
【図３４】
2016519599.tif 000052
【図３５ａ】
2016519599.tif 000053
【図３５ｂ】
2016519599.tif 000054
【図３５ｃ】
2016519599.tif 000055
【図３５ｄ】
2016519599.tif 000056
【国際調査報告】
2016519599.tif 000057
2016519599.tif 000058
2016519599.tif 000059
2016519599.tif 000060
2016519599.tif 000061